(57)【特許請求の範囲】
【請求項１】
複数のシートが連なった状態で収納される容器本体部と、
上記容器本体部を閉塞するキャップ部とを備えたシート収納用容器において、
上記キャップ部には、上記シートを挿入して保持しておくためのシート止めスリットと、上記容器本体部に収容された上記シートを取り出して上記シート止めスリットに挿入してセットするためのセット用開口部とが設けられ、
上記シート止めスリットは、上記セット用開口部に連続し、該セット用開口部から離れる方向に延びる第１スリットと、該第１スリットにおける上記セット用開口部から離れた部分に連続して上記セット用開口部に向かって該セット用開口部に達しないように延びる第２スリットとを有しており、上記シートは上記第１スリット内に挿入されることを特徴とするシート収納用容器。
【請求項２】
請求項１に記載のシート収納用容器において、
上記第２スリットは、上記第１スリットの幅方向両側へそれぞれ延びていることを特徴とするシート収納用容器。
【請求項３】
請求項１または２に記載のシート収納用容器において、
上記キャップ部には、上記第１スリットのセット用開口部とは反対側の端部に連続して延びる第３スリットが形成されていることを特徴とするシート収納用容器。
【請求項４】
請求項１から３のいずれか１つに記載のシート収納用容器において、
上記第１スリットは、直線状に延びており、
上記第１スリットと上記第２スリットとのなす角度は、１０度以上８０度以下に設定されていることを特徴とするシート収納用容器。
【請求項５】
複数のシートが連なった状態で収納されるシート収納容器に設けられるキャップにおいて、
上記シートを挿入して保持しておくためのシート止めスリットと、
上記シート収納容器に収容された上記シートを取り出して上記シート止めスリットに挿入してセットするためのセット用開口部とを備え、
上記シート止めスリットは、上記セット用開口部に連続し、該セット用開口部から離れる方向に延びる第１スリットと、該第１スリットにおける上記セット用開口部から離れた部分に連続して上記セット用開口部に向かって該セット用開口部に達しないように延びる第２スリットとを有しており、上記シートは上記第１スリット内に挿入されることを特徴とするシート収納用容器のキャップ。
【発明の詳細な説明】
【技術分野】
【０００１】
本発明は、例えばウェットシートのようなシート状の部材を収納するための容器及びその容器に取り付けられるキャップに関するものである。
【背景技術】
【０００２】
従来から、この種のシート収納用容器としては、例えば、特許文献１、２に開示されているように、多数枚が連続して一体となったウェットシートを収納する容器本体部と、容器本体部に設けられたキャップ部とを備え、シートを１枚ずつ取り出して使用することができるように構成されたものが知られている。
【０００３】
特許文献１、２の容器のキャップ部には、シートが容器本体部内に落ち込まないように止めて保持しておくためシート止めスリットが形成され、さらに、容器本体部内のウェットシートを取り出してシート止めスリットにセットするための大型のセット用開口部がシート止めスリットに連続するように形成されている。
【０００４】
そして、使用開始時に容器本体部内の１枚目のシートをシート止めスリットにセットする際には、セット用開口部からシートを取り出してシート止めスリットに挿入してセットする。このシート止めスリットに保持してあるシートを引っ張り出して使用する。
【先行技術文献】
【特許文献】
【０００５】
【特許文献１】特開平７−２０６０５５号公報
【特許文献１】特開２０００−３５５３４０号公報
【発明の概要】
【発明が解決しようとする課題】
【０００６】
ところで、使用時にシート止めスリットに保持してあるシートを引っ張り出す際、使用者が常に一定の方向に引っ張るとは限らず、様々な方向に引っ張ることがある。
【０００７】
特許文献１、２では、シート止めスリットが、セット用開口部からシートのセット方向に延びる縦スリットと、この縦スリットに直交して延びる横スリットとで十字状に形成されている。このように縦スリットがシートのセット方向に延びていると、シート止めスリット内のシートが例えばセット用開口部側へ引っ張られた場合には縦スリットを通ってセット用開口部まで移動し、容器本体部内に落ち込んでしまう恐れがある。
【０００８】
また、シート止めスリット内のシートをセット用開口部側へ引っ張らずに、例えばシート止めスリットの真上に向けて引っ張ったとしても、引っ張られたシートの動きは複雑であり、その動きによってはシートがセット用開口部へ向けて移動していき、容器本体部内に落ち込んでしまう恐れがある。
【０００９】
シートが容器本体部内に落ち込むと、使用者は容器本体部内のシートを取り出してセット用開口部から再びシート止めスリットにセットしなければならず、煩雑な作業が必要になる。
【００１０】
また、シート止めスリットにセットしてあるシートを使用者が引っ張り出す際には、引っ張り出すのに要する力はできるだけ小さくしてシートを取り出しやすくしたいという要求がある。
【００１１】
これに対して、例えば、シート止めスリットの幅を拡大することが考えられる。ところが、スリットの幅を拡大すると、シートを止めておく作用が弱まるので、シート止めスリットにセットしてあるシートを引っ張った際にシートがセット用開口部へ向けて移動しやすくなり、シートが容器本体部内に落ち込む頻度が高まるおそれがある。
【００１２】
本発明は、かかる点に鑑みてなされたものであり、その目的とするところは、シートをセットするためのセット用開口部と、シートを止めておくためのシート止めスリットとを設ける場合に、シートの取り出しやすさを良好にしながら、シートが容器本体部内に落ち込む頻度を大幅に低減して使いやすい容器とすることにある。
【課題を解決するための手段】
【００１３】
上記目的を達成するために、本発明では、シート止めスリット内のシートがセット用開口部に達しないようにスリットの形状を設定した。
【００１４】
第１の発明は、複数のシートが連なった状態で収納される容器本体部と、
上記容器本体部を閉塞するキャップ部とを備えたシート収納用容器において、
上記キャップ部には、上記シートを挿入して保持しておくためのシート止めスリットと、上記容器本体部に収容された上記シートを取り出して上記シート止めスリットに挿入してセットするためのセット用開口部とが設けられ、
上記シート止めスリットは、上記セット用開口部に連続し、該セット用開口部から離れる方向に延びる第１スリットと、該第１スリットにおける上記セット用開口部から離れた部分に連続して上記セット用開口部に向かって該セット用開口部に達しないように延びる第２スリットとを有しており、上記シートは上記第１スリット内に挿入されることを特徴とするものである。
【００１５】
この構成によれば、使用開始時には、容器本体部内のシートをセット用開口部からシート止めスリットの第１スリットに挿入することにより、第１スリットで保持することが可能になる。
【００１６】
第１スリットに保持されたシートを使用する際、シートを引っ張ると、セット用開口部へ向けて第１スリット内を移動する場合がある。このとき、第１スリットには第２スリットが連続しており、その第２スリットはシートの移動方向と同じ方向、即ちセット用開口部側へ向かって延びていることから、シートのうち、特に辺縁部が第２スリットに入り込み易くなる。辺縁部が第２スリットに入り込んだシートは、セット用開口部へ向けて移動しにくくなるので、セット用開口部から容器本体部内に落ち込む頻度が大幅に低減する。
【００１７】
また、第２スリットが第１スリットに連続してセット用開口部へ向けて延びていることから、キャップ部における第１及び第２スリット近傍が変形し易くなる。これにより、第１スリットに挿入されているシートを引っ張った際にその近傍の変形によってシートが取り出しやすくなる。
【００１８】
第２の発明は、第１の発明において、
上記第２スリットは、上記第１スリットの幅方向両側へそれぞれ延びていることを特徴とするものである。
【００１９】
この構成によれば、第１スリットに保持されたシートが第１スリットの幅方向のどちら側に引っ張られても、第２スリットに入り込むようになるので、容器本体部内に落ち込む頻度がより一層低減する。
【００２０】
第３の発明は、第１または２の発明において、
上記キャップ部には、上記第１スリットのセット用開口部とは反対側の端部に連続して延びる第３スリットが形成されていることを特徴とするものである。
【００２１】
この構成によれば、キャップ部におけるシート止めスリット近傍が変形しやすくなる。これにより、シートを引っ張った際に、シートが第２スリットに入り込みやすくなるとともに、シートの取り出しが容易に行えるようになる。
【００２２】
第４の発明は、第１から３のいずれか１つの発明において、
上記第１スリットは、直線状に延びており、
上記第１スリットと上記第２スリットとのなす角度は、１０度以上８０度以下に設定されていることを特徴とするものである。
【００２３】
この構成によれば、第１スリットに保持されているシートを様々な方向に引っ張った際に、シートが第２スリットに入り込みやすくなる。
【００２４】
第５の発明は、複数のシートが連なった状態で収納されるシート収納容器に設けられるキャップにおいて、
上記シートを挿入して保持しておくためのシート止めスリットと、
上記シート収納容器に収容された上記シートを取り出して上記シート止めスリットに挿入してセットするためのセット用開口部とを備え、
上記シート止めスリットは、上記セット用開口部に連続し、該セット用開口部から離れる方向に延びる第１スリットと、該第１スリットにおける上記セット用開口部から離れた部分に連続して上記セット用開口部に向かって該セット用開口部に達しないように延びる第２スリットとを有しており、上記シートは上記第１スリット内に挿入されることを特徴とするものである。
【００２５】
この構成によれば、第１の発明と同様な作用効果が得られる。
【発明の効果】
【００２６】
第１の発明によれば、シート止めスリットが、セット用開口部に連続する第１スリットと、第１スリットに連続してセット用開口部側に向かって延びる第２スリットとを有しているので、シートの取り出しやすさを良好にしながら、シートが容器本体部内に落ち込む頻度を大幅に低減して使いやすい容器とすることができる。
【００２７】
第２の発明によれば、第２スリットが第１スリットの幅方向両側へそれぞれ延びているので、シートが容器本体部内に落ち込む頻度をより一層低減させることができ、使いやすい容器とすることができる。
【００２８】
第３の発明によれば、キャップ部に、第１スリットの端部に連続して延びる第３スリットを形成したので、シートを引っ張った際にシートが第２スリットに入り込みやすくなり、シートが容器本体部内に落ち込む頻度をより一層低減させることができ、また、シートをより一層取り出しやすくすることができる。
【００２９】
第４の発明によれば、第１スリットと第２スリットとのなす角度を１０度以上８０度以下に設定したので、本発明の作用効果がより一層顕著なものとなる。
【００３０】
第５の発明によれば、本発明にかかるキャップをシート収納用容器に設けることで、シートの取り出しやすさを良好にしながら、シートが落ち込む頻度を大幅に低減して使いやすい容器とすることができる。
【図面の簡単な説明】
【００３１】
【図１】容器の斜視図である。
【図２】大蓋及び小蓋が開状態にあるシート収納用容器を手前側から見た拡大斜視図である。
【図３】大蓋及び小蓋が開状態にあるシート収納用容器を奥側から見た拡大斜視図である。
【図４】大蓋及び小蓋が開状態にあるシート収納用容器の平面図である。
【図５】大蓋のみが閉状態にあるシート収納用容器の斜視図である。
【図６】大蓋及び小蓋が閉状態にあるシート収納用容器の斜視図である。
【図７】実施形態１の変形例にかかる図１相当図である。
【図８】実施形態２にかかる図１相当図である。
【図９】大蓋及び小蓋が開状態にあるシート収納用容器の斜視図である。
【図１０】実施形態３にかかる図１相当図である。
【図１１】実施形態３にかかるシート収納用容器の蓋が開状態にある場合を示す斜視図である。
【発明を実施するための形態】
【００３２】
以下、本発明の実施形態を図面に基づいて詳細に説明する。尚、以下の好ましい実施形態の説明は、本質的に例示に過ぎず、本発明、その適用物或いはその用途を制限することを意図するものではない。
（実施形態１）
図１は、本発明の実施形態１にかかるシート収納用容器１を示す図である。シート収納用容器１には、例えば複数枚のウェットシートが連なった状態で収納されるようになっている。使用者はシート収納用容器１内のシートを１枚ずつ取り出して使用することができるようになっている。
【００３３】
シート収納用容器１は、容器本体部１０と、キャップ部２０とを備えている。容器本体部１０及びキャップ部２０は共に弾性を有する樹脂材で構成されている。
【００３４】
尚、この実施形態の説明では、説明の便宜を図るために、容器１を使用者が持って使用する際に、使用者の左になる側を単に「左」といい、また、右になる側を単に「右」といい、また、使用者の手前になる側を単に「手前」といい、また、使用者の奥になる側を単に「奥」というものとする。
【００３５】
容器本体部１０は、有底の略円筒形状となっており、上端は略全体が開口している。容器本体部１０の外周面の上部には、キャップ部２０が係合する係合部（図示せず）が形成されている。この係合部にキャップ部２０を係合させることでキャップ部２０が容器本体部１０に取り付けられて該容器本体部１０の上端開口が閉塞される。一方、キャップ部２０を容器本体部１０の係合部から外すことで容器本体部１０の上端開口が開放される。
【００３６】
複数のシートはロール状に巻かれており、その軸線が容器本体部１０の軸線方向に延びる姿勢とされて容器本体部１０に収納される。また、シートとシートとの境界部分には、シートを容易に分離させるためのミシン目が形成されている。
【００３７】
図２及び図３に示すように、キャップ部２０は、本体部２１と、大蓋３０と、小蓋４０とを備えている。本体部２１は、略円形に形成された閉塞板部２２と、閉塞板部２２の周縁部から下方へ延びる周壁部２３とが一体成形されてなるものである。
【００３８】
閉塞板部２２は、容器本体部１０の上端開口を閉塞するためのものである。周壁部２３は、容器本体部１０の外周面の上部を覆うように形成されている。周壁部２３の内周面には、容器本体部１０の係合部に係合する被係合部（図示せず）が設けられている。
【００３９】
閉塞板部２２の上面における外周側には、溝２２ａが形成されている。溝２２ａは、円環状に延びており、閉塞板部２２の中心と同心状に位置している。この溝２２ａは、閉塞板部２２を下方へ膨出させることによって形成されている。
【００４０】
閉塞板部２２の上面における溝２２ａよりも内側には、略円形に窪む凹部２２ｂが形成されている。凹部２２ｂは閉塞板部２２の略中央部に位置している。
【００４１】
凹部２２ｂの底壁部には、上方へ膨出する膨出部２２ｃが形成されている。膨出部２２ｃは、凹部２２ｂ内において閉塞板部２２の手間側に変位している。図４にも示すように、膨出部２２ｃは平面視で略矩形状となっている。膨出部２２ｃの上壁は、閉塞板部２２の上壁と連なるとともに、該上壁と同一面上に位置している。
【００４２】
凹部２２ｂの底壁には、膨出部２２ｃの左側壁と凹部２２ｂの周壁とを連結する左側リブ２４ａと、膨出部２２ｃの右側壁と凹部２２ｂの周壁とを連結する右側リブ２４ｂとが形成されている。左側リブ２４ａ及び右側リブ２４ｂは、左右方向に延びている。さらに、凹部２２ｂの底壁には、膨出部２２ｃの奥側の側壁に連なる一対の奥側リブ２４ｃ，２４ｃが左右方向に間隔をあけて形成されている。奥側リブ２４ｃ，２４ｃは互いに略平行である。上記リブ２４ａ、２４ｂ、２４ｃの形成により、膨出部２２ｃ近傍の剛性が高められている。
【００４３】
膨出部２２ｃの上壁には、シートを挿入して保持しておくためのシート止めスリット２５が形成されている。一方、凹部２２ｂの底壁部には、容器本体部１０に収容されたシートを取り出してシート止めスリット２５に挿入してセットするためのセット用開口部２６が形成されている。セット用開口部２６は、閉塞板部２２の中央部近傍において、シート止めスリット２５よりも奥側に位置するように開口している。セット用開口部２６の形状は、閉塞板部２２の中心部近傍を中心した略扇型とされている。セット用開口部２６の手前側は、膨出部２２ｃの奥側に達しており、シート止めスリット２５と連続している。
【００４４】
セット用開口部２６の開口面積及び形状は、例えば、使用者が指を容器本体部１０内に差し込んで内部のシートを摘んで取り出すことができるように大型に設定されている。これにより、キャップ部２０を容器本体部１０から取り外すことなく、容器本体部１０内のシートをシート止めスリット２５にセットすることが可能になる。
【００４５】
シート止めスリット２５は、第１スリット２５ａと、第１スリット２５ａに連続する左側及び右側第２スリット２５ｂ，２５ｃと、第１スリット２５ａに連続する左側及び右側第３スリット２５ｄ，２５ｅとを有している。
【００４６】
第１スリット２５ａは、セット用開口部２６の手前側の左右方向中央部に連続して手前側（セット用開口部２６から離れる方向）に向かって略直線状に延びている。第１スリット２５ａのセット用開口部２６側（奥側）は、セット用開口部２６に近づくほど幅が広くなるように形成されている。これにより、セット用開口部２６内のシートを第１スリット２５ａ内へ挿入しやすくしている。
【００４７】
第１スリット２５ａの手前側は略円形となるように幅が広くなっており、幅広部２５ｆとなっている。この幅広部２５ｆ内にシートが挿入されるようになっている。また、幅広部２５ｆの周囲には、薄肉部２２ｄが形成されている。この薄肉部２２ｄは、閉塞板部２２の肉厚を薄くして弾性変形しやすくした部分である。
【００４８】
左側第２スリット２５ｂは、幅広部２５ｆの左奥側からセット用開口部２６側に向かって該セット用開口部２６には達しないように直線状に延びている。この左側第２スリット２５ｂと第１スリット２５ａとのなす角度は、１０度以上８０度以下に設定されている。
【００４９】
右側第２スリット２５ｃは、幅広部２５ｆの右奥側からセット用開口部２６側に向かって該セット用開口部２６には達しないように直線状に延びている。この右側第２スリット２５ｃと第１スリット２５ａとのなす角度は、１０度以上８０度以下に設定されている。
【００５０】
左側第３スリット２５ｄは、幅広部２５ｆの左手前側からキャップ部２０の左手前（セット用開口部２６から離れる方向）に向かって直線状に延びている。また、右側第３スリット２５ｅは、幅広部２５ｆの右手前側からキャップ部２０の右手前に向かって直線状に延びている。
【００５１】
左側及び右側第２スリット２５ｂ，２５ｃの幅と、左側及び右側第３スリット２５ｄ，２５ｅの幅とは、第１スリット２５ａの幅のうち、最も狭い部位の幅と略同じに設定されている。
【００５２】
左側及び右側第２スリット２５ｂ，２５ｃの長さは、左側及び右側第３スリット２５ｄ，２５ｅよりも長く設定されている。
【００５３】
また、上記大蓋３０は、閉塞板部２２の略全体を覆うことができる円形の板状に形成されている。この大蓋３０はヒンジ３１を有している。大蓋３０の奥側の縁部がヒンジ３１により閉塞板部２２の奥側の縁部に連結されている。ヒンジ３１は、樹脂の持つ弾性を利用して屈曲するように構成された、いわゆる薄肉ヒンジであり、大蓋３０の本体部分及び閉塞板部２２に一体成形されている。ヒンジ３１による大蓋３０の開方向は手前から奥に向かう方向であり、閉方向はその反対の奥から手前に向かう方向である。
【００５４】
図５に示すように、大蓋３０には、シート止めスリット２５に対応する部位に、取出用開口部３２が形成されている。この取出用開口部３２は、シート止めスリット２５を露出させて該シート止めスリット２５に保持されているシートを取り出すためのものである。この実施形態では、取出用開口部３２を略矩形状に形成しているが、これに限らず、例えば円形であってもよい。
【００５５】
図２に示すように、大蓋３０の裏面の外周側には、略円環状に延びる突条部３３が形成されている。突条部３３は、キャップ部２０の閉塞板部２２の溝２２ａに嵌入するようになっている。突条部３３を溝２２ａに嵌入させることにより大蓋３０が閉状態で保持される。
【００５６】
大蓋３０の手前側の縁部には、突起３５が形成されている。この突起３５は閉状態にある大蓋３０を開方向に操作する際に指を引っかけるためのものである。
【００５７】
図１に示すように、小蓋４０は、大蓋３０の取出用開口部３２を閉塞するためのものであり、取出用開口部３２の形状と略同じ形状とされている。小蓋４０は連結バンド４１を有している。小蓋４０の手前側の縁部は連結バンド４１により周壁部２３の外周面に連結されている。連結バンド４１は柔軟性を有しており、小蓋４０の本体部分及び周壁部２３に一体成形されている。小蓋４０の開方向は奥前から手前に向かう方向であり、閉方向はその反対の手前から奥に向かう方向である。すなわち、大蓋３０と小蓋４０とは開閉方向が異なっている。
【００５８】
小蓋４０が取出用開口部３２を閉塞した状態で小蓋４０の周縁部が取出用開口部３２の周縁部に係合して小蓋４０の閉状態が維持されるようになっている。この小蓋４０は周壁部２３に連結されていて大蓋３０に係合した状態で閉状態となるので、小蓋４０が閉状態にあるときには大蓋３０を開方向に操作することができない。一方、小蓋４０を開状態にすると小蓋４０が大蓋３０から離れるので大蓋３０を開方向に操作することが可能になる。
【００５９】
つまり、小蓋４０の連結バンド４１は、大蓋３０を開かないようにロックするためのロック部であり、連結バンド４１は、小蓋４０が閉状態にあるときに大蓋３０をロック状態とする一方、小蓋４０が開状態になったときに大蓋３０のロックを解除するロック解除状態になる。
【００６０】
次に、上記のように構成されたシート収納用容器１を使用する場合について説明する。容器本体部１０の内部には、ロール状に巻かれたシートが、その軸線を容器本体部１０の軸線方向に向けた状態で収納されている。尚、シートはウェットシートである。
【００６１】
容器本体部１０内のシートをシート止めスリット２５にセットする際には、まず、図２〜図４に示すように、大蓋３０及び小蓋４０を開状態にする。そして、使用者がセット用開口部２６内に指を差し込んで１枚目のシートを掴み、セット用開口部２６内まで引き上げる。その後、１枚目のシートを摘んだまま、キャップ部２０の手前側に移動させていき、シート止めスリット２５の第１スリット２５ａに挿入していく。このとき、図４に示すように、第１スリット２５ａのセット用開口部２６側が幅広に形成されているので、シートをスムーズに第１スリット２５ａ内に導くことが可能になる。
【００６２】
第１スリット２５ａ内に挿入したシートは第１スリット２５ａ内を手前側に移動させていき、第１スリット２５ａの幅広部２５ｆ内に位置付ける。シートは第１スリット２５ａの周縁部により挟まれた状態で保持されるので容器本体部１０内に落ち込むことはない。これにより、シートがシート止めスリット２５にセットされた状態となる。
【００６３】
シートのセットが終了すると、図５に示すように大蓋３０をヒンジ３１周りに手前側へ回動させ、大蓋３０の突条部３３をキャップ部２０の閉塞板部２２の溝２２ａに嵌入して閉状態にする。これにより、セット用開口部２６が閉状態になり、外部の空気等が容器本体部１０に侵入し難くなるので、シートを清潔に維持できるとともに、シートの乾燥を抑制できる。
【００６４】
シートを使用しないときには、図６に示すように、小蓋４０を大蓋３０の取出用開口部３２に嵌めて該取出用開口部３２の周縁部に係合させておく。これにより、小蓋４０が閉状態で保持される。
【００６５】
そして、シートを使用する際には、図５に示すように小蓋４０を開状態にする。小蓋４０が開状態になる前には、連結バンド４１によって大蓋３０がロックされているので、大蓋３０が誤って開状態になることはない。
【００６６】
小蓋４０を開状態にすると、シート止めスリット２５が大蓋３０の取出用開口部３２から露出するので、１枚目のシートが取出用開口部３２から外部に臨む。従って、使用者がシートを使用する際には、大蓋３０を開けることなく、取出用開口部３２内のシートを摘んで上方へ引っ張ることにより容器本体部１０内から取り出して使用することができる。１枚目のシートを取り出した後、２枚目のシートが第１スリット２５ａに差し掛かるとミシン目の部分で１枚目のシートが２枚目のシートからちぎれる。そして、２枚目のシートが第１スリット２５ａの周縁部で挟まれた状態でシート止めスリット２５に保持される。
【００６７】
シートを引っ張る際には、シート止めスリット２５の周縁部が上方へ撓むように変形し、このことで特に第１スリット２５ａの幅が広がるのでシートの取り出しに要する力が低減する。この実施形態では、左側及び右側第２スリット２５ｂ，２５ｃがセット用開口部２６に向かって第１スリット２５ａに対し斜めに延びているので、第１スリット２５ａと左側第２スリット２５ｂとの間の部位、及び第１スリット２５ａと右側第２スリット２５ｃとの間の部位の幅が狭くなり、それらの部位が変形し易くなる。このことにより、シートの取り出しに要する力がより一層低減する。
【００６８】
また、シートを引っ張る際には、例えば左奥側や右奥側に引っ張られることがある。第１スリット２５ａの幅広部２５ｆに保持されているシートが、例えば左奥側に引っ張られた場合には、第１スリット２５ａには左側第２スリット２５ｂが連続していて、その左側第２スリット２５ｂがシートの引っ張られる方向（左奥側）に延びているので、シートの辺縁部が左側第２スリット２５ｂに入り込んでいく。これにより、シートが第１スリット２５ａの奥側へ向けて移動することによりセット用開口部２６に達して容器本体部１０内に落ち込んでしまう頻度が低減する。
【００６９】
このとき、第３スリット２５ｄ，２５ｅが形成されていることにより、シート止めスリット２５近傍が変形し易くなっている。これにより、シートが第２スリット２５ｂ，２５ｃに入り込みやすくなり、また、シートを取り出すのに要する力を低減することが可能になる。
【００７０】
シートを右奥側に引っ張った場合にも同様に右側第２スリット２５ｃが右奥側に延びているので、シートの辺縁部が右側第２スリット２５ｃに入り込み、セット用開口部２６に達して容器本体部１０内に落ち込んでしまう頻度が低減する。
【００７１】
さらに、シートを真上に引っ張る場合であっても、容器本体部１０内のロールの位置等によっては、シートが第１スリット２５ａの幅広部２５ｆから左奥側や右奥側に移動しようとする場合があるが、この実施形態では、シートの辺縁部が左側第２スリット２５ｂや右側第２スリット２５ｃに入り込むことによってセット用開口部２６に達して容器本体部１０内に落ち込んでしまう頻度が低減する。
【００７２】
以上説明したように、この実施形態１にかかるシート収納用容器１によれば、シート止めスリット２５が、セット用開口部２６に連続する第１スリット２５ａと、第１スリット２５ａに連続してセット用開口部２６に向かって延びる第２スリット２５ｂ，２５ｃとを有しているので、シートの取り出しやすさを良好にしながら、シートが容器本体部１０内に落ち込む頻度を大幅に低減して使いやすい容器１とすることができる。
【００７３】
また、左側及び右側第２スリット２５ｂ，２５ｃが第１スリット２５ａの幅方向両側へそれぞれ延びているので、シートが容器本体部１０内に落ち込む頻度をより一層低減させることができ、使いやすい容器とすることができる。
【００７４】
また、キャップ部２０に、第１スリット２５ａの端部に連続して延びる第３スリット２５ｄ，２５ｅを形成したので、シートを引っ張った際に第２スリット２５ｂ，２５ｃに入り込みやすくすることができ、シートが容器本体部１０内に落ち込む頻度をより一層低減させることができ、また、シートをより一層取り出しやすくすることができる。
【００７５】
また、第１スリット２５ａと第２スリット２５ｂ，２５ｃとのなす角度を１０度以上８０度以下に設定したので、上記作用効果がより一層顕著なものとなる。第１スリット２５ａと第２スリット２５ｂ，２５ｃとのなす角度のより好ましい範囲は、４０度から６０度である。
【００７６】
また、シート止めスリット２５を開閉する小蓋４０と、シートをシート止めスリット２５にセットするためのセット用開口部２６を開閉する大蓋３０とを設ける場合に、小蓋４０が閉状態にあるときに大蓋３０をロック状態とする一方、小蓋４０が開状態になったときにロック解除状態とするようにしている。これにより、小蓋４０を開状態にする前に大蓋３０が開いてしまうことがなくなるので、セット用開口部２６が不要時に開放される頻度を低減して内部のシートを清潔に保つことができるとともに、シートがウェットシートである場合には乾燥を抑制でき、さらに、小蓋４０のみを簡単に開くことができ、使用者にとって使用し易い容器とすることができる。
【００７７】
また、小蓋４０を大蓋３０に係脱させるだけで、小蓋４０の開閉と、大蓋３０のロック及びロック解除とを同時に行うことができるので、利便性をより一層高めることができる。
【００７８】
また、大蓋３０と小蓋４０との開閉方向を異なる方向にしたので、大蓋３０が不意に開いてしまうのをより確実に防止できる。
【００７９】
尚、上記実施形態１では、小蓋４０の連結バンド４１をキャップ部２０に連結しているが、これに限らず、例えば、図７に示す変形例のように、容器本体部１０に連結するようにしてもよい。
【００８０】
（実施形態２）
図８及び図９は、本発明の実施形態２にかかるシート収納用容器１を示すものである。この実施形態２のシート収納用容器１は、大蓋及び小蓋の構成が実施形態１のものと異なっているだけで、他の部分は実施形態１と同じである。以下、実施形態１と同じ部分には同じ符号を付して説明を省略し、異なる部分について詳細に説明する。
【００８１】
すなわち、実施形態２の大蓋５０は、ヒンジ５１を有している。ヒンジ５１は閉塞板部２２の奥側の縁部に連結されている。大蓋５０は、キャップ部２０の閉塞板部２２の奥側からセット用開口部２６が形成された部位までを覆い、かつ、閉塞板部２２のシート止めスリット２５が形成された部位から手前側の縁部までは覆わないように形成されている。大蓋５０には、閉状態のときにキャップ部２０に係合する爪部（図示せず）が形成されている。
【００８２】
小蓋５５は、ヒンジ５６を有している。ヒンジ５６は閉塞板部２２の手前側の縁部に連結されている。小蓋５５は、閉塞板部２２の手間側からシート止めスリット２５が形成された部位までを覆うように形成されている。小蓋５５には、閉状態のときにキャップ部２０に係合する爪部（図示せず）が形成されている。小蓋５５のヒンジ５６と反対側の縁部は、大蓋５０のヒンジ５１と反対側の縁部を上方から覆うように形成されたロック部５５ａとされている。
【００８３】
従って、大蓋５０を閉状態にしてから小蓋５５を閉状態にすると、小蓋５５のロック部５５ａが大蓋５０の縁部を覆うように位置することになるので、小蓋５５を開かなければ大蓋５０を開くことはできず、大蓋５０がロック状態となる。一方、小蓋５５が開状態にあるときには、ロック部５５ａが大蓋５０から離れるので、大蓋５０のロックが解除される。つまり、ロック部５５ａは、小蓋５５が閉状態にあるときに大蓋５０をロック状態とする一方、小蓋５５が開状態になったときに大蓋５０のロックを解除するロック解除状態となる。
【００８４】
次に、シート収納用容器１を使用する場合について説明する。シートを使用しないときには、図８に示すように大蓋５０及び小蓋５５を閉状態にする。
【００８５】
そして、シートを使用する際には、小蓋５５のみを開状態にする。小蓋５５が開状態になる前には、大蓋５０がロック部５５ａによりロックされているので、大蓋５０が誤って開状態になることはない。
【００８６】
小蓋５５を開状態にすると、シート止めスリット２５が露出するので、１枚目のシートが外部に臨む。従って、使用者がシートを使用する際には、大蓋５０を開けることなく容器本体部１０内から取り出して使用することができる。
【００８７】
したがって、この実施形態２にかかるシート収納用容器１によれば、実施形態１と同様に、シートの取り出しやすさを良好にしながら、シートが容器本体部１０内に落ち込む頻度を大幅に低減して使いやすい容器１とすることができる。
（実施形態３）
図１０及び図１１は、本発明の実施形態３にかかるシート収納用容器１を示す図である。実施形態３のシート収納用容器１は、蓋が１つだけであり、また、セット用開口部２６の形状等が実施形態１のものとは異なっている。以下、実施形態１と異なる部分について詳細に説明する。
【００８８】
すなわち、図１１に示すように、シート収納用容器１のキャップ部２１の閉塞板部２２は、周縁部に比べて中央部が上に位置するように上方に膨出した形状となっている。この閉塞板部２２には、凹部２２ｅが形成されている。この凹部２２ｅは、手前側から奥側に亘って延びている。閉塞板部２２の凹部２２ｅの底面には、手前側から奥側に向かって延びる略長円形のセット用開口部２６が形成されている。このセット用開口部２６に連なるようにシート止めスリット２５が形成されている。このシート止めスリット２５は、実施形態１のものと同じ構成であり、従って、同様な作用効果を奏するものである。
【００８９】
また、凹部２２ｅの底面には、環状リブ２７が形成されている。環状リブ２７は、セット用開口部２６とシート止めスリット２５とを囲むように形成されている。
【００９０】
キャップ部２１の蓋６０は、手前側から奥側へ延びる略矩形状とされ、凹部２２ｅの全体を覆う大きさとなっている。蓋６０の奥側には、薄肉ヒンジからなるヒンジ６１が設けられている。また、蓋６０の手前側には、手前側に向かって突出する突出部６２が形成されている。蓋６０の両側縁部には、凹部２２ｅ内へ向けて突出する側板部６３がそれぞれ設けられている。側板部６３は、凹部２２ｅの側面に沿って延びるように形成されており、蓋６０が閉状態となったときに凹部２２ｅ内に収容されて凹部２２ｅに嵌合するようになっている。また、蓋６０が閉状態になると蓋６０の手前側も凹部２２ｅに嵌合する。さらに、蓋６０が閉状態となったときに、蓋６０の手前側は閉塞板部２２の上面から突出するように形成されている。
【００９１】
この実施形態３にかかるシート収納用容器１によれば、実施形態１と同じシート止めスリット２５を設けているので、シートの取り出しやすさを良好にしながら、シートが容器本体部１０内に落ち込む頻度を大幅に低減して使いやすい容器１とすることができる。
【００９２】
尚、シート収納用容器１に収納するシートとしては、例えば、ティッシュや不織布等の薄いものであればよく、乾燥状態で収納してもよいし、除菌剤等の薬液を含浸させた状態で収納してもよい。また、シートはロール状に巻いた状態で収納してもよいし、折り畳んだ状態で収納してもよい。
【００９３】
また、上記実施形態１、２では、シート止めスリット２５が第３スリット２５ｄ，２５ｅを有しているが、これら第３スリット２５ｄ，２５ｅは省略してもよい。
【００９４】
また、第１〜第３スリット２５ａ、２５ｂ、２５ｃ、２５ｄ、２５ｅの各々の幅は、一端から他端まで同一幅であってもよいし、次第に拡がるようにしてもよいし、一部のみ拡げ又は狭めてもよい。
【００９５】
また、第１〜第３スリット２５ａ、２５ｂ、２５ｃ、２５ｄ、２５ｅは、直線状であってもよいし、湾曲していてもよいし、折れ曲がっていてもよい。
【産業上の利用可能性】
【００９６】
以上説明したように、本発明にかかるシート収納用容器は、例えば、ウェットシートを収納する場合に適用できる。
【符号の説明】
【００９７】
１          シート収納用容器
１０        容器本体部
２０        キャップ部
２５        シート止めスリット
２５ａ      第１スリット
２５ｂ      左側第２スリット
２５ｃ      右側第２スリット
２６        セット用開口部
３０        大蓋
３２        取出用開口部
４０        小蓋
４１        連結バンド
【図１】
0006016436.tif 000002
【図２】
0006016436.tif 000003
【図３】
0006016436.tif 000004
【図４】
0006016436.tif 000005
【図５】
0006016436.tif 000006
【図６】
0006016436.tif 000007
【図７】
0006016436.tif 000008
【図８】
0006016436.tif 000009
【図９】
0006016436.tif 000010
【図１０】
0006016436.tif 000011
【図１１】
0006016436.tif 000012